(57)【要約】【課題】記録メディアの容量に対して効率よく映像データを記録する映像記録装置を提供する。【解決手段】同一ビットレート設定での第１回目の記録動作で、記録制御手段１０４は一組の映像ファイルと管理データファイルを新規に作成するようファイルシステム１０５に指示し、ファイルシステム１０５は圧縮データと管理データを記録するが、第２回目以降の記録動作では、記録再生手段１０４は、第１回目の記録動作で作成した一組の映像ファイルと管理データファイルに、追加記録するようファイルシステム１０５に指示し、ファイルシステム１０５は圧縮データと管理データを追加記録する。【選択図】図１
2010263454.tif 000002
【特許請求の範囲】
【請求項１】
複数のビットレートでの記録が可能な映像記録装置であって、
ビットレートを指令発生するビットレート指令発生手段と、
前記ビットレート指令発生手段で指令発生されたビットレートとなるように、映像データの圧縮データと管理データを作成するエンコード手段と、
前記ビットレート指令発生手段で指令発生されたビットレートに対応する一組の映像ファイルと管理データファイルを作成するようにファイルシステムに指示する記録制御手段と、
記録メディア上に前記記録制御手段で指示された一組のファイルを作成し、該一組のファイルを該記録メディア上のブロック単位で管理すると共に、該一組のファイルにそれぞれ前記エンコード手段で作成された圧縮データと管理データを記録するファイルシステムとを備え、
該記録メディア上に、前記ビットレート発生手段が指令発生するビットレートに対応する該一組のファイルが存在する場合には、前記ファイルシステムは、該一組のファイルにそれぞれ前記エンコード手段で作成された圧縮データと管理データを追加記録し、
該記録メディア上に、前記ビットレート発生手段が指令発生するビットレートに対応する該一組のファイルが存在しない場合には、前記記録制御手段は前記ファイルシステムに該一組のファイルを新規に作成するように指示し、前記ファイルシステムは該一組のファイルのそれぞれに、前記エンコード手段で作成された圧縮データと管理データを、該記録メディア上のブロックの先頭から記録することを特徴とする映像記録装置。
【発明の詳細な説明】
【技術分野】
【０００１】
本発明は、デジタル圧縮された映像データをハードディスク等のランダムアクセス可能なメディアに記録する、映像記録装置に関するものである。
【背景技術】
【０００２】
現在、ファイルを記録メディア１０６上のブロック単位で管理するファイルシステム１０５を介して、映像データを記録メディア１０６に記録する方法は一般的に知られている（例えば、特許文献１参照）。
【０００３】
上記の映像記録装置を有する映像音声データ記録再生方法、及びそれを用いたディスク装置について、図３、４を参照しながら説明する。
【０００４】
図３は、映像記録装置の構成を示すブロック図である。
【０００５】
第１回目の記録を開始すると、エンコード手段１０２はカメラ部１０１で撮影された映像データを、ビットレート指令発生手段１０３から入力されるビットレートとなるように、デジタル圧縮して圧縮データを作成し、記録制御手段３０１へ出力する。
【０００６】
記録制御手段３０１は、記録開始時に、新しく生成する第１の映像ファイル名（Ｖｉｄｅｏ０１）をファイルシステム１０５へ通知し、新規に作成するよう指示し、エンコード手段１０２から入力される圧縮データをファイルシステム１０５へ順次出力し、
記録終了時に、新しく生成する第１の管理データファイル名（ＶｉｄｅｏＩｎｆｏ０１）をファイルシステム１０５へ通知し、新規に作成するよう指示し、第１の管理データとして、ビットレート情報（２５Ｍｂｐｓ）と記録したデュレーション（９０フレーム）をファイルシステム１０５へ出力する。
【０００７】
ファイルシステム１０５は、記録制御手段３０１から入力される圧縮データを、記録メディア１０６上のブロック００の先頭から順次、記録が終了するまで連続的に記録し、
記録終了時に、第１の管理データであるビットレート情報（２５Ｍｂｐｓ）と記録したデュレーション（９０フレーム）を第１の管理データファイル（ＶｉｄｅｏＩｎｆｏ０１）に保存する。
【０００８】
第１回目の記録と同一のビットレート設定にて、第２回目の記録を開始すると、第１回目と同様に、エンコード手段１０２はカメラ部１０１で撮影された映像データをデジタル圧縮して、記録制御手段３０１へ出力する。
【０００９】
記録制御手段３０１は、記録開始時に、新しく生成する第２の映像ファイル名（Ｖｉｄｅｏ０２）をファイルシステム１０５へ通知し、新規に作成するよう指示し、エンコード手段１０２から入力される圧縮データをファイルシステム１０５へ順次出力し、
記録終了時に、新しく生成する第２の管理データファイル名（ＶｉｄｅｏＩｎｆｏ０２）をファイルシステム１０５へ通知し、新規に作成するよう指示し、第２の管理データとして、ビットレート情報（２５Ｍｂｐｓ）と記録したデュレーション（４０フレーム）をファイルシステム１０５へ出力する。
【００１０】
ファイルシステム１０５は、記録制御手段３０１から入力される圧縮データを、記録メディア１０６上のブロック１０の先頭から記録し、
記録終了時に、第２の管理データであるビットレート情報（２５Ｍｂｐｓ）と記録したデュレーション（４０フレーム）を第２の管理データファイル（ＶｉｄｅｏＩｎｆｏ０２）に保存する。
【００１１】
図４は、上述の２回の記録動作によって保存される、映像ファイルと管理データファイルの位置と記録メディア１０６上のブロックとの関係を示す図である。
第１回目の記録動作により、第１の映像ファイル（Ｖｉｄｅｏ０１）は、ブロック００の先頭からブロック０７の終わりまでとブロック０８の一部に配置されており、第１の映像ファイル（Ｖｉｄｅｏ０１）に対応する第１の管理データファイル（ＶｉｄｅｏＩｎｆｏ０１）はブロック０９の一部に配置される。
また、第２回目の記録動作により、第２の映像ファイル（Ｖｉｄｅｏ０２）は、ブロック１０の先頭からブロック１３の終わりまでとブロック１４の一部に配置され、第２の映像ファイル（Ｖｉｄｅｏ０２）に対応する第２の管理データファイル（ＶｉｄｅｏＩｎｆｏ０２）はブロック１５の一部に保存される。黒く塗りつぶした部分は、第１の映像ファイル（Ｖｉｄｅｏ０１）もしくは、第２の映像ファイル（Ｖｉｄｅｏ０２）を消去しない限り利用されることがない無駄な領域である。
【先行技術文献】
【特許文献】
【００１２】
【特許文献１】特開２００３−１７９８５２号公報
【発明の概要】
【発明が解決しようとする課題】
【００１３】
しかしながら、上記従来の構成では、記録動作を行うと一組の映像ファイルと管理データファイルは、記録メディア１０６上のブロックの先頭から新規に作成するため、映像ファイルが配置される記録メディア１０６上の最終ブロックであるブロック０８、ブロック１４と、管理データファイルが配置される記録メディア１０６上の最終ブロックであるブロック０９、ブロック１５には、何も記録されない無駄な領域が出来る。
【００１４】
そのため、短い記録動作を繰り返し行うと、何も記録されない無駄な領域が増えてしまい記録メディア１０６を有効に使えないという課題を有していた。
【課題を解決するための手段】
【００１５】
本実施の形態の映像記録装置は、カメラ部１０１で撮影された映像データを、ビットレート指令発生手段１０３が出力するビットレートとなるように、デジタル圧縮して圧縮データを作成するエンコード手段１０２と、ファイルシステム１０５を介して、前記ビットレートに対応する一組の映像ファイルと管理データファイルを生成する記録制御手段１０４とを具備し、前記ファイルシステム１０５は、ファイルを記録メディア１０６上のブロック単位で管理し、前記エンコード手段１０２から前記記録制御手段１０４を介して入力される前記圧縮データと管理データを、前記記録制御手段１０４の指示通りに前記記録メディア１０６に保存し、前記記録制御手段１０４は、前記ファイルシステム１０５を介して、前記映像ファイルと前記管理データファイルを生成するにあたり、前記ビットレートに対応する一組の映像ファイルと管理データファイルが存在しない場合は、前記ファイルシステム１０５に、映像ファイルと管理データファイルを新規に作成し、それぞれに前記圧縮データと前記管理データを、前記ブロックの先頭から記録するよう指示し、前記ビットレートに対応する一組の映像ファイルと管理データファイルが存在する場合は、前記ファイルシステム１０５に、既存の対応する映像ファイルと管理データファイルに、それぞれ前記圧縮データと前記管理データを追加記録するよう指示することを特徴とする。
【発明の効果】
【００１６】
本発明は、ビットレート指令発生手段が出力するビットレート毎に一組の映像ファイルと管理データファイルしか作成せず、同一ビットレートでの２回目以降の記録動作では、既存の映像ファイルと管理データファイルに追加記録するため、映像ファイルや管理データファイルが配置される記録メディア上の最終ブロックでの、何も記録されない無駄な領域を最小限に抑えるため、記録メディアを有効に使うことが出来る映像記録装置を提供することが出来る。
【図面の簡単な説明】
【００１７】
【図１】本実施の形態に係る映像記録装置の構成を示すブロック図
【図２】同上映像記録装置で、記録された各映像ファイルと管理データファイルの位置と記録メディア上のブロックとの関係を示す図
【図３】従来の映像記録装置の構成を示すブロック図
【図４】同上従来の映像記録装置で、記録された各映像ファイルと管理データファイルの位置と記録メディア上のブロックとの関係を示す図
【発明を実施するための形態】
【００１８】
以下、本発明を実施するための最良の形態について、図面を参照しながら説明する。
【実施例】
【００１９】
図１は、本実施例における映像記録装置の構成を示すブロック図である。
本実施例の映像記録装置はカメラ部１０１、エンコード手段１０２、ビットレート指令発生手段１０３、記録制御手段１０４、ファイルシステム１０５、記録メディア１０６で構成される。
【００２０】
上記したような構成の映像記録装置の動作を説明するにあたって、説明を簡単にするために、本実施例の映像記録装置で設定できるビットレートを２５Ｍｂｐｓ、５０Ｍｂｐｓとする。
【００２１】
まず、ユーザーが２５Ｍｂｐｓのビットレート設定で記録することを選択すると、ビットレート指令発生手段１０３は、ユーザーが設定したビットレート２５Ｍｐｂｓを指令値としてエンコード手段１０２と記録制御手段１０４へ出力する。
【００２２】
そして、ビットレート２５Ｍｂｐｓでの第１回目の記録が開始されると、カメラ部１０１からエンコード手段１０２へと映像データが流れ始める。エンコード手段１０２は、ビットレート指令発生手段１０３からの指令値である２５Ｍｂｐｓとなるように、カメラ部１０１から流れてくる映像データをデジタル圧縮した圧縮データを記録制御手段１０４へ出力する。
【００２３】
記録制御手段１０４は、ビットレート指令発生手段１０３からの指令値を元に、新しく生成する第１の映像ファイル名（Ｖｉｄｅｏ−２５Ｍ）をファイルシステム１０５へ通知し、新規に作成するよう指示し、エンコード手段１０２から入力される圧縮データをファイルシステム１０５へ順次出力し、９０フレーム記録したところで記録が終了すると、ビットレート指令発生手段１０３からの指令値を元に、新しく生成する第１の管理データファイル名（ＶｉｄｅｏＩｎｆｏ−２５Ｍ）をファイルシステム１０５へ通知し、新規に作成するよう指示し、第１の管理データとして、記録開始フレーム位置情報（０）と記録したデュレーション（９０フレーム）をファイルシステム１０５へ出力する。
【００２４】
ファイルシステム１０５は、記録制御手段１０４から入力される圧縮データを、記録メディア１０６上のブロック００の先頭から順次、記録が終了するまで連続的に記録し、記録終時に、第１の管理データである記録開始フレーム位置情報（０）と記録したデュレーション（９０フレーム）を第１の管理データファイル（ＶｉｄｅｏＩｎｆｏ−２５Ｍ）に保存する。
【００２５】
ビットレート２５Ｍｂｐｓでの第２回目の記録が開始されると、第１回目の記録と同様にエンコード手段１０２は圧縮データを記録制御手段１０４へ出力する。
【００２６】
記録制御手段１０４は、ビットレート指令発生手段１０３からの指令値を元に、第１の映像ファイル名（Ｖｉｄｅｏ−２５Ｍ）をファイルシステム１０５へ通知し、追加記録するよう指示し、エンコード手段１０２から入力される圧縮データをファイルシステム１０５へ順次出力し、４０フレーム記録したところで記録が終了すると、ビットレート指令発生手段１０３からの指令値を元に、第１の管理データファイル名（ＶｉｄｅｏＩｎｆｏ−２５Ｍ）をファイルシステム１０５へ通知し、追加記録するよう指示し、第２の管理データとして、記録開始フレーム位置情報（９１）と記録したデュレーション（４０フレーム）をファイルシステム１０５へ出力する。
【００２７】
ファイルシステム１０５は、記録制御手段１０４から入力される圧縮データを、記録メディア１０６上のブロック０８に保存されている第１回目の圧縮データの続きから、ブロック０８の最後まで記録し、その後、ブロック１０の先頭から順次、記録が終了するまで連続的に記録し、記録終了時に、第２の管理データである記録開始フレーム位置情報（９１）と記録したデュレーション（４０フレーム）を第１の管理データファイル（ＶｉｄｅｏＩｎｆｏ−２５Ｍ）に保存する。
【００２８】
次に、ユーザーが５０Ｍｂｐｓのビットレート設定で記録することを選択すると、ビットレート指令発生手段１０３は、ユーザーが設定したビットレート５０Ｍｂｐｓを指令値としてエンコード手段１０２と記録制御手段１０４へ出力する。
【００２９】
そして、ビットレート５０Ｍｂｐｓでの第１回目の記録が開始されると、カメラ部１０１からエンコード手段１０２へと映像データが流れ始める。エンコード手段１０２は、ビットレート指令発生手段１０３からの指令値である５０Ｍｂｐｓとなるように、カメラ部１０１から流れてくる映像データをデジタル圧縮した圧縮データを記録制御手段１０４へと出力する。
【００３０】
記録制御手段１０４は、ビットレート指令発生手段１０３からの指令値を元に、新しく生成する第２の映像ファイル名（Ｖｉｄｅｏ−５０Ｍ）をファイルシステム１０５へ通知し、新規に作成するよう指示し、エンコード手段１０２から入力される圧縮データをファイルシステム１０５へ順次出力し、８０フレーム記録したところで記録が終了すると、ビットレート指令発生手段１０３からの指令値を元に、新しく生成する第２の管理データファイル名（ＶｉｄｅｏＩｎｆｏ−５０Ｍ）をファイルシステム１０５へ通知し、新規に作成するよう指示し、第３の管理データとして、記録開始フレーム位置情報（０）と記録したデュレーション（８０フレーム）をファイルシステム１０５へ出力する。
【００３１】
ファイルシステム１０５は、記録制御手段１０４から入力される圧縮データを、記録メディア１０６上のブロック１４の先頭から順次、記録が終了するまで連続的に記録し、記録終了時に、第３の管理データである記録開始フレーム位置情報（０）と記録したデュレーション（８０フレーム）を第２の管理データファイル（ＶｉｄｅｏＩｎｆｏ−５０Ｍ）に保存する。
【００３２】
図２は、本実施例における計３回の記録が終了した時点における、各映像ファイルと管理データファイルの位置と記録メディア１０６上のブロックとの関係を示す図である。
ビットレート２５Ｍｂｐｓでの２回の記録動作により、第１の映像ファイル（Ｖｉｄｅｏ−２５Ｍ）は、ブロック００の先頭からブロック０８の終わりまでと、ブロック１０の先頭からブロック１３の一部に配置され、対応する第１の管理データファイル（ＶｉｄｅｏＩｎｆｏ−２５Ｍ）はブロック０９の一部に配置される。
【００３３】
また、ビットレート５０Ｍｂｐｓでの記録動作により、第２の映像ファイル（Ｖｉｄｅｏ−５０Ｍ）は、ブロック１４の先頭からブロック２７の終わりまでと、ブロック２８の一部に配置され、対応する第２の管理データファイル（ＶｉｄｅｏＩｎｆｏ−５０Ｍ）はブロック２９の一部に配置される。黒く塗りつぶした部分が無いのは、記録動作を重ねることによって、利用される可能性があるからである。
【００３４】
以上のように本実施の形態に係る映像記録装置は、短いデュレーションの記録動作を繰り返し行っても、何も記録されない無駄な領域を最小限に抑えることができる。
また、本実施の形態に係る映像記録装置で記録された、同一ビットレートの映像ファイルを再生する際、ファイルのオープン、クローズ処理が一回で済むため、再生時の処理負荷を軽減させることができる。
【００３５】
なお、本実施の形態の説明において、設定できるビットレートを２５Ｍｂｐｓ、５０Ｍｂｐｓとして説明したが、これは説明を分かりやすくするためであり、本発明はこの場合に限定されず、種々の変更が可能である。
【産業上の利用可能性】
【００３６】
本発明に係る映像記録装置は、短いデュレーションの記録動作を繰り返し行っても、何も記録されない無駄な領域を最小限に抑えることが可能なので、記録メディアの容量に対して、効率よく映像データを記録する映像記録装置等として有用である。
【符号の説明】
【００３７】
１０１    カメラ部
１０２    エンコード手段
１０３    ビットレート指令発生手段
１０４    記録制御手段
１０５    ファイルシステム
１０６    記録メディア
３０１    記録制御手段
【図１】
2010263454.tif 000003
【図２】
2010263454.tif 000004
【図３】
2010263454.tif 000005
【図４】
2010263454.tif 000006